(57)【要約】【課題】無線インターフェースを介して受信した情報の記録媒体への記録が不可能な場合でも、受信した情報の一部、もしくは全体を保護する記録技術を提供することにある。【解決手段】電源が断たれても情報を記憶できるＥＥＰＲＯＭに、記録可能かどうか等の記録媒体に関する情報を保持しておき、無線インターフェースを介して情報を受信した際、そのＥＥＰＲＯＭに保持されている情報を基に記録媒体の状態を判別し、もし記録媒体に異常があれば、アラームを発信し、また、内部のメモリにデータを一旦蓄えておく。【選択図】図１
2004192748.tif 000002
【特許請求の範囲】
【請求項１】
無線インターフェースを備え、該無線インターフェースを介して受信した情報を記録媒体に記録する情報記録装置において、
電源が断たれた状態でも、前記記録媒体に関する情報を保持する記憶保持手段と、
前記記憶保持手段に保持されている前記記録媒体に関する情報に基づいて前記記録媒体に情報の記録が可能か否かを判断する判断手段と、
情報を蓄積する蓄積手段とを備え、
前記判断手段が前記記録媒体に情報の記録が不可能と判断した場合には、前記蓄積手段に、前記無線インターフェースを介して受信した情報を蓄えていくことを特徴とする情報記録装置。
【請求項２】
請求項１記載の情報記録装置において、
前記記録媒体に関する情報として、前記記録媒体の種別を示す情報、前記記録媒体に対する記録禁止を示す情報、前記記録媒体の記録残量を示す情報のうち少なくとも１つを前記記憶保持手段に保持することを特徴とする情報記録装置。
【請求項３】
請求項１記載の情報記録装置において、
前記記録媒体を前記情報記録装置に装着するときに、前記記録媒体の情報を前記記憶保持手段に保持することを特徴とする情報記録装置。
【請求項４】
請求項１記載の情報記録装置において、
記録終了時及び電源停止時に、前記記録媒体の情報を前記記憶保持手段に保持することを特徴とする情報記録装置。
【請求項５】
請求項１記載の情報記録装置において、
受信した情報は、前記蓄積手段に一旦蓄えられ、前記判断手段が、前記記録媒体に情報の記録が不可能と判断した場合には、引き続き前記蓄積手段に情報を蓄えていくことを特徴とする情報記録装置。
【請求項６】
請求項１記載の情報記録装置において、
前記判断手段が、前記記録媒体に情報の記録が不可能と判断した場合には、ユーザに対して警告を促すことを特徴とする情報記録装置。
【請求項７】
無線インターフェースを備え受信した情報を記録媒体に記録する情報記録装置において、
映像音声信号を入力する入力手段と、
所望の信号処理を施す信号処理手段と、
前記映像音声信号を圧縮する圧縮手段と、
ユーザが指示を行う操作手段とを備え、
電源が断たれた状態でも、前記記録媒体に関する情報を保持する記憶保持手段と、
前記記憶保持手段に保持されている前記記憶媒体に関する情報に基づいて、前記記録媒体に情報の記録が可能か否かを判断する判断手段と、
情報を蓄積する蓄積手段とを備え、
前記判断手段が前記記録媒体に情報の記録が不可能と判断した場合には、前記蓄積手段に情報を蓄えていくことを特徴とする情報記録装置。
【発明の詳細な説明】
【０００１】
【発明の属する技術分野】
本発明は、情報の送受信を行える無線インターフェース（IF）を搭載した情報記録装置に関するものである。
【０００２】
【従来の技術】
現在、映像、音声、テキストなど情報が有料、無料を問わず、配信が一般的に行われている。例えば、デジタル機器の展示会場（ＷＰＣ  ＥＸＰＯ）で、各ブースに設置された送信機の近くに行くと、無線でテキスト情報を携帯電話におくるようなことが行われている。また、ホットスポット（駅や空港、ホテル、喫茶店・ファーストフード店あるいは街角などで、パソコンや携帯情報端末（ＰＤＡ）などを使って、インターネットに接続ができるサービスが提供される場所である。無線通信のためのアクセスポイントが設置されており、ワイヤレスで高速インターネットが楽しめる）などのサービスも開始されている。
【０００３】
【発明が解決しようとする課題】
今後ブロードバンド化が進むと、テキスト情報やＭｐｅｇ４の動画コンテンツのようなコンパクトな情報だけでなく、Ｍｐｅｇ２のような従来無線で送るには大容量と思われるデータなども配信可能になると予想される。つまり高画質なコンテンツを配信することができる。例えば、アミューズメントパーク内の各ブースなどで無料の情報配信(地図データであり、アトラクションの内容を示した高画質映像コンテンツなど)を行うことも可能になると予想される。
【０００４】
一般的に、アミューズメントパーク内にビデオカメラを持っていくことが多い。また、優れた検索性や編集のしやすやなどから記録媒体には、ディスク状の記録媒体が用いられることが多い。特にＰＣとの親和性やすぐれた書き換え回数からＤＶＤ−ＲＡＭなどを記録媒体としたビデオカメラが利用される。この時、ビデオカメラに無線ＩＦが搭載されていたならば、各ブース（情報の配信元）に近づくだけで、映像情報などの配信情報を受信し、ビデオカメラの記録媒体に記録することが可能である。
【０００５】
ＤＶＤ-ＲＡＭであれば、一般的な映像圧縮データで数時間の記録する程度の容量があるので、かなりの量の情報を蓄えることが可能である。もちろん実際に撮影したデータの分も含めてである。受信したデータは、カメラでデコードする機能を搭載していれば、その場でＬＣＤパネルを通して確認することができる。
【０００６】
しかし、記録媒体がＤＶＤ−ＲＡＭの場合、前回の記録が異常終了していた場合など受信したデータをＤＶＤ−ＲＡＭに記録することができない場合がある。そうなってしまうとせっかく受信したデータが正常に記録できなくなってしまう。ユーザが意識せずに、アミューズメントパーク内を歩いているだけで情報が取得できるはずが、実際には全く記録できていないということもありえる。
【０００７】
本発明の目的は、無線インターフェースを介して受信した情報の記録媒体への記録が不可能な場合でも、受信した情報の一部、もしくは全体を保護する記録技術を提供することにある。
【０００８】
【課題を解決するための手段】
上記課題を達成する為に、本発明では、電源が断たれても情報を記憶できるＥＥＰＲＯＭに、記録可能かどうか等の記録媒体に関する情報を保持しておき、無線インターフェースを介して情報を受信した際、そのＥＥＰＲＯＭに保持されている情報を基に記録媒体の状態を判別し、もし記録媒体に異常があれば、アラームを発信し、また、内部のメモリにデータを一旦蓄えておく。こうすることで無線インターフェースを介して得られる情報の一部、もしくは全部の情報を保護することができる。
【０００９】
【発明の実施の形態】
本発明を適用した実施形態について説明する。本実施形態では、情報記録装置が無線ＩＦを搭載し、撮像した静止画あるいは動画をＤＶＤ−ＲＡＭ記録媒体に記録するビデオカメラであるものとして説明する。本発明の適用範囲が、ビデオカメラに限定されることはなく、メモリを搭載し、電源が断たれても情報を保持するＥＥＰＲＯＭを搭載している情報記録装置であれば全て本発明の適用対象となることは言うまでもない。
【００１０】
本発明の実施形態について図１、図２、図３、図４を用いて説明する。
図１は、本実施形態たるビデオカメラのシステムの主要ブロック図である。無線ＩＦ（インターフェース）部１００は、無線で情報の送受信を行う。光信号を電気信号に変換するＣＣＤの出力やアナログ信号は入力部１０１から入力される。アナログの信号をデジタルの信号に変換するＡ／Ｄ変換器なども入力部１０１に含まれる。また、入力部１０１には、音声入力用に、マイクとＡ／Ｄ変換器も含まれる。信号処理部（以後、ＤＳＰと呼ぶ）１０２は、入力部１０１によって変換されたデジタル信号をＭｐｅｇの圧縮が行えるようなフォーマットに変換し、再生時にはＮＴＳＣなどへのフォーマット変換を行う。ＡＶＣｏｄｅｃ１０３は、ＤＳＰ１０２で変換された映像信号にＭｐｅｇの圧縮を行う。また、Ａ／Ｄ変換機でデジタル化された音声データの圧縮も行う。
【００１１】
制御部１０４は、ＣＰＵ等のシステム全体を制御する回路であり、記録媒体の情報を判別する。制御部１０４は、必要に応じて、圧縮された映像と音声のデータに対して規格に準拠したパケット化も行う。本実施形態では、ＤＶＤビデオレコーディング規格に準拠してパケット化するものとする。また、ＥＥＰＲＯＭ１０５は、電源を断っても記憶を保持できる記憶保持装置である。メモリ１０６は、無線IF部１００で受信した情報、あるいはＡＶＣｏｄｅｃ１０３で圧縮された圧縮データを記憶する。記録媒体１０７は、本実施形態では、ＤＶＤ−ＲＡＭディスクである。１０８は、ユーザがビデオカメラに指示を行うことができる操作部である。
【００１２】
最初に、図１を用いて、ユーザが記録する場合の処理の流れを説明する。
ユーザは、操作部１０８で記録の指示を行う。操作部１０８から記録の指示があると、制御部１０４が、記録を開始するようにビデオカメラの各ブロックを制御する。もちろん、記録媒体認識による情報、または、ＥＥＰＲＯＭ１０５の情報により、記録が可能であると判断された場合である。入力部１０１は映像および、音声の入力部である。マイクやＣＣＤや外部入力端子である。ＣＣＤの場合では、光信号が電気信号に変換され、その後Ａ／Ｄ変換器を通してデジタルの映像データを生成する。また、外部入力端子の場合にも、入力部１０１は、アナログの映像信号をデジタルの映像信号に変換する。生成された映像信号は、ＤＳＰ１０２で輝度や、色差信号に分割され、様々な画づくりの為の処理が施され、またＭｐｅｇに圧縮する為のフォーマット変換も行われる。
【００１３】
ＡＶＣｏｄｅｃ１０３では、ＤＳＰ１０２が出力した映像信号にＭｐｅｇ圧縮を行ない。また、マイクや、外部入力端子等の入力部１０１から音声も同時に入力されており、音声データも圧縮される。映像の圧縮と平行して、ＭｐｅｇＡｕｄｉｏやドルビーデジタル、もしくは、無圧縮のＬＰＣＭのストリームが生成される。本実施形態では、記録媒体１０７がＤＶＤ−ＲＡＭなのでＤＶＤビデオレコーディング規格に準拠してＭｐｅｇ圧縮を行っているが、記録媒体に合った規格に準拠していれば、圧縮、多重化方法は、限定しない。生成された映像と音声のストリームは、制御部１０４によって、規格に準拠したパケット化、多重化がおこなわれる。多重化されたプログラムストリーム（以後、ＰＳと呼ぶ）は、メモリ１０６に一旦蓄えられ、ある閾値をこえたら、記録媒体１０７に書き込みが行われる。記録媒体１０７の書き込みは、制御部１０４が行っている。また、常に書き込むのではなく、間欠的に書き込みを行うことにより、消費電力を下げることが可能となる。上記説明した制御部１０４は、必要に応じて、機能ごとにいくつか用意してもかまわない。ひとつに限定されるわけではない。
【００１４】
次に、無線ＩＦ部１００からデータを受信した場合の処理について説明する。
無線ＩＦ部１００がデータを受信した場合、制御部１０４は、通常記録の時に使用していた間欠駆動用のメモリ１０６の一部に情報を記録していく。ある程度メモリ上にデータが溜まったら、制御部１０４は、記録媒体１０７にデータをコピーしていく。記録媒体上の情報は、ＤＶＤレコーディング規格に準じていない場合には、別の領域（ディレクトリ）に記録するようにする。この情報は、映像音声ストリームやファイルなどであるが、ＰＣで取り込んで再生しても構わないし、情報が、一般的なストリーム形式、もしくはファイル形式であれば、そのデコーダーを事前にビデオカメラに搭載しておくことで、ビデオカメラ本体での再生も可能となる。例えば、アミューズメントパーク内の地図情報であるとか、アトラクションの内容の映像音声などを確認することができる。展示会場でもこの無線データを受信してその場でブースの概略がわかる情報などを視聴できるのは、非常に便利である。
【００１５】
次に記録媒体が記録可能かどうかの判定を行う為の情報生成について図２と図３で説明する。まず、図２を用いて、ユーザが記録媒体を入れ替えた場合について説明する。
【００１６】
図１では、特に記録媒体の交換の方法に関しては明記していないが、操作部１０８からユーザの指示により、記録媒体１０７の出し入れが可能な機構が搭載されているとする。
【００１７】
ビデオカメラを使用する時には、必ず最初に一度記録媒体を挿入、もしくは、交換を行う。記録媒体がカメラに挿入されると、記録媒体１０７の状態をチェックする為に、記録媒体の認識を開始する。これがステップＳ２０１である。記録媒体１０７の挿入後に電源が入っていなければ、電源が入った場合の時の処理となる。記録媒体の認識には、数秒から、数十秒かかる。
【００１８】
ステップＳ２０２では、制御部１０４が、図には示していない記録媒体ドライバを経由して、記録媒体上の情報を取得する。記録媒体上の情報とは、メディアの種別、書き込み禁止の有無などである。書き込みの禁止の情報は、記録媒体１０７それ自体に書き込まれている場合もあるし、記録媒体１０７がカートリッジを使用している場合は、そのカートリッジから取得する場合もある。また、記録可能残量の情報も必要である。制御部１０４は、この取得した記録媒体の情報をＥＥＰＲＯＭ１０５に保持しておく。ＥＥＰＲＯＭ１０５は電源を断っても記憶を保持できるので、次回電源をＯＮした時に、保持された情報を取得することが可能である。このように最初の記録媒体１０７の交換の時には、ＥＥＰＲＯＭ１０５の記録媒体の情報を更新しておく。これが、ステップＳ２０３である。
【００１９】
次に、図３を用いて、記録終了時及び電源をＯＦＦした場合について説明する。記録終了時及び電源をＯＦＦした場合、その直前にいくつかの情報をＥＥＰＲＯＭ１０５に保持させる。保持することで、次回記録開始時及び電源をＯＮした時に、記録媒体１０７の最終状態が認識できる。最終状態を知るということは必要なことで、たとえば、記録媒体が何らかの事情によって、読み書きできない状態になっていたら、次回記録開始及び電源ＯＮ時には修復を行わなければならない。また、記録した容量が、すでにほとんど容量が枯渇している状態であれば、次回電源ＯＮ時には、記録を開始することはできない。その為に、記録終了時及び電源ＯＦＦの場合にもＥＥＰＲＯＭ１０５に記録媒体１０７の状態を保持しておく必要がある。ステップＳ３０１で、記録媒体にトラブルがなかったか、もしくは、記録媒体の容量から、あとどの程度記録できるか等の情報を算出する。ステップＳ３０２では、上記算出したデータなども含め、記録媒体の状態をＥＥＰＲＯＭ１０５に更新する。
【００２０】
上記図２、図３で説明したように、常に記録媒体１０７の状態をＥＥＰＲＯＭ１０５に保持しておくことで、いつでも記録媒体１０７の状態を取得し、解析することができる。
【００２１】
次に、上記説明をふまえて、データを受信しても記録媒体１０７に記録ができない場合にデータを保護する方法について図４を用いて説明する。
ビデオカメラの場合、低消費電力の為にＤＶＤ−ＲＡＭへ書き込む際に間欠駆動を行っている。その為に６Ｍｂｐｓの圧縮データで数十秒のデータを蓄えられるだけのメモリを搭載している。この間欠駆動用のメモリを利用することで、受信した情報をある程度記録しておくことができる。また、カメラで記録媒体が認識中にも記録を開始できる先行記録機能の判定シーケンスを流用できる利点もある。なお、先行記録については、本件出願人は、特願２００２−１０２０１８にて開示している。
【００２２】
データを受信すると、一旦メモリ１０６に記録を行う。これが、ステップＳ４０１である。記録媒体１０７に異常がなければそのまま記録を開始する。
【００２３】
しかし、実際には、記録媒体１０７に異常があったかもしれない、もしくは、書き込みが禁止されている状態かもしれないので、まずは、ステップＳ４０２で、記録媒体１０７が使用できるか判断する為に、制御部１０４は、ＥＥＰＲＯＭ１０５に保持されている情報を読み出す。
【００２４】
ステップＳ４０３では、「記録可能か？」または、「書き込み禁止でないか？」または、「トラブル状態ではないか？」または、「空き容量はあるか？」を総合的に判断して、記録が可能かどうかを判定する。もしここで記録が可能であれば、ステップＳ４０４に進み、メモリ１０６を介して記録媒体１０７に受信した情報の記録を始める。一方、記録可能の状態であれば問題ないが、記録媒体に問題があって記録ができない場合には、ひとまずメモリ１０６に記録を行っていく。これがステップ４０５である。
【００２５】
通常は、ある閾値を超えたならすぐに記録媒体に記録するシーケンスになっているが、上記のように、記録媒体が記録不可になった場合、そこで記録を停止してしまうと、それ以上情報を取得することができなくなってしまうので、少なくともメモリ１０６の容量一杯まで情報を記録するようにする。そうすれば、そのメモリの容量分は、受信データを記録、保護することができる。また、記録不可能であると判断された場合は、記録不可能であることをユーザに知らせる為に、その旨の表示を行う。操作を無視するようにしておいても良いが、なんらかの表示をするほうが、ユーザには親切である。これがステップ４０６である。
【００２６】
以上説明したように、記録媒体入れ替えの時、記録終了時、もしくは、電源ＯＦＦ時に記録媒体の状態をＥＥＰＲＯＭに保持しておくことで、受信したデータが記録媒体に記録できるかを常に判定することが可能となる。また、もし記録不可能であってもメモリに情報を蓄えておくことにより、情報の一部、もしくは全部を保護することが可能となる。
【００２７】
【発明の効果】
本発明によれば、無線インターフェースを介して受信した情報の記録媒体への記録が不可能な場合でも、受信した情報の一部、もしくは全体を保護することができる。
【図面の簡単な説明】
【図１】図１は、本発明の実施形態たるビデオカメラのシステムの主要ブロック図である。
【図２】図２は、本発明の実施形態において、記録媒体をセットしたときのフローチャートである。
【図３】図３は、本発明の実施形態において、記録終了時及び、電源をＯＦＦしたときのフローチャートである。
【図４】図４は、本発明の実施形態において、データ受信した時の処理のフローチャートである。
【符号の説明】
１００…無線ＩＦ（インターフェース）、１０１…入力部、１０２…ＤＳＰ、１０３…ＡＶＣｏｄｅｃ、１０４…制御部、１０５…ＥＥＰＲＯＭ、１０６…メモリ、１０７…記録媒体、１０８…操作部。
【図１】
2004192748.tif 000003
【図２】
2004192748.tif 000004
【図３】
2004192748.tif 000005
【図４】
2004192748.tif 000006